【手続補正書】
【提出日】平成16年3月15日(2004.3.15)
【手続補正１】
【補正対象書類名】明細書
【補正対象項目名】発明の名称
【補正方法】変更
【補正の内容】
【発明の名称】データ処理装置の電源供給方法、信号処理装置の電源供給方法、信号処理装置、制御装置及びディスク装置


【手続補正２】
【補正対象書類名】明細書
【補正対象項目名】特許請求の範囲
【補正方法】変更
【補正の内容】
【特許請求の範囲】
【請求項１】
複数の回路を備えたデータ処理装置に電源を供給するデータ処理装置の電源供給方法であって、
前記複数の回路の立ち上がり時間を記憶し、
所定の動作に関する動作情報を先読みし、
前記立ち上がり時間と前記動作情報とを使用して前記複数の回路に対して電源遮断期間を求め、
前記所定の動作が行なわれている間、前記電源遮断期間に基づいて前記複数の回路に対して電源供給又は電源遮断を行なうことを特徴とするデータ処理装置の電源供給方法。
【請求項２】
前記データ処理装置は、
リード信号からユーザデータを抽出するリード用信号処理回路部と、
ライトデータをドライブヘッドにて書き込むライト用信号処理回路部と、
前記リード信号からサーボデータを抽出するサーボ用信号処理回路部と
を備えることを特徴とする請求項1に記載のデータ処理装置の電源供給方法。
【請求項３】
ドライブヘッドからのリード信号からユーザデータを抽出するために該リード信号を信号処理するリード用信号処理回路部と、
ライトデータをドライブヘッドにて書き込むために該ライトデータを信号処理するライト用信号処理回路部と、
前記リード信号からサーボ情報を抽出するために該リード信号を信号処理するサーボ用信号処理回路部と、
を備えた信号処理装置の電源供給方法であって、
リード用信号処理回路部を構成する各回路、ライト用信号処理回路部を構成する各回路及びサーボ用信号処理回路部を構成する各回路の少なくとも１つの信号処理回路部の各回路について、立ち上がり時間を予め求め、該立ち上がり時間を超える動作停止期間を有する回路が存在するとき、該回路に対して該動作停止期間中その電源の供給を遮断するようにしたことを特徴とする信号処理装置の電源供給方法。
【請求項４】
ライト処理動作中及びサーボ期間中の少なくともいずれか一方の動作中において、前記リード用信号処理回路部を構成する回路内に、立ち上がり時間を超える動作停止期間を有する回路が存在するとき、該回路に対して該動作停止期間中その電源の供給を遮断するようにしたことを特徴とする請求項３に記載の信号処理装置の電源供給方法。
【請求項５】
リード処理動作中及びサーボ期間中の少なくともいずれか一方の動作中において、前記ライト用信号処理回路部を構成する回路内に、立ち上がり時間を超える動作停止期間を有する回路が存在するとき、該回路に対して該動作停止期間中その電源の供給を遮断するようにしたことを特徴とする請求項３又は請求項４に記載の信号処理装置の電源供給方法。
【請求項６】
リード処理動作中及びライト動作中の少なくともいずれか一方の動作中において、前記サーボ用信号処理回路部を構成する回路内に、立ち上がり時間を超える動作停止期間を有する回路が存在するとき、該回路に対して該動作停止期間中その電源の供給を遮断するようにしたことを特徴とする請求項３、請求項４又は請求項５に記載の信号処理装置の電源供給方法。
【請求項７】
ドライブヘッドからのリード信号からユーザデータを抽出するために該リード信号を信号処理するリード用信号処理回路部と、
ライトデータをドライブヘッドにて書き込むために該ライトデータを信号処理するライト用信号処理回路部と、
前記リード信号からサーボ情報を抽出するために該リード信号を信号処理するサーボ用信号処理回路部と、
リード用信号処理回路部を構成する各回路、ライト用信号処理回路部を構成する各回路及びサーボ用信号処理回路部を構成する各回路の内、少なくとも１つの回路に対して電源を供給制御する電源制御手段と
を備えることを特徴とする信号処理装置。
【請求項８】
前記電源制御手段は、ゲート回路であることを特徴とする請求項７に記載の信号処理装置。
【請求項９】
前記リード用信号処理回路部は、オートゲインコントロールアンプ、アナログフィルタ、Ａ／Ｄ変換回路、リード系デジタル信号処理部、及び、Ｄ／Ａ変換回路の少なくともいずれか一つを含むことを特徴とする請求項７又は請求項８に記載の信号処理装置。
【請求項１０】
前記ライト用信号処理回路部は、ライトドライバ、プリコンペセイト、及び、ライト系デジタル信号処理部の少なくともいずれか一つを含むことを特徴とする請求項７、請求項８又は請求項９に記載の信号処理装置。
【請求項１１】
前記サーボ用信号処理回路部は、サーボ情報抽出回路及びサーボＰＬＬの少なくともいずれか一つを含むことを特徴とする請求項７、請求項８、請求項９又は請求項１０に記載の信号処理装置。
【請求項１２】
ドライブヘッドからのリード信号からユーザデータを抽出するために該リード信号を信号処理するリード用信号処理回路部と、
ライトデータをドライブヘッドにて書き込むために該ライトデータを信号処理するライト用信号処理回路部と、
前記リード信号からサーボ情報を抽出するために該リード信号を信号処理するサーボ用信号処理回路部と、
数サイクル先の所定動作に関する動作情報を先読みする手段と、
回路の立ち上がり時間と前記動作情報とに基づいて該立ち上がり時間を超える動作停止期間が存在する回路を求める手段と、
前記動作停止期間に基づいて電源の供給を遮断する電源制御手段と
を備えることを特徴とする制御装置。
【請求項１３】
請求項７乃至請求項１１のいずれか一項に記載の信号処理装置を備えたディスク装置。
【手続補正３】
【補正対象書類名】明細書
【補正対象項目名】０００１
【補正方法】変更
【補正の内容】
【０００１】
【発明の属する技術分野】
本発明は、消費電力を低減するのに好適なデータ処理装置の電源供給方法、信号処理装置の電源供給方法、信号処理装置及びディスク装置に関するものである。


【手続補正４】
【補正対象書類名】明細書
【補正対象項目名】０００９
【補正方法】変更
【補正の内容】
【０００９】
本発明は、高速化を保持しつつさらなる消費電力の低減を図ることができるデータ処理装置の電源供給方法、信号処理装置の電源供給方法、信号処理装置及びディスク装置を提供することにある。


【手続補正５】
【補正対象書類名】明細書
【補正対象項目名】００１０
【補正方法】変更
【補正の内容】
【００１０】
【課題を解決するための手段】
請求項１に記載の発明は、複数の回路を備えたデータ処理装置に電源を供給するデータ処理装置の電源供給方法であって、前記複数の回路の立ち上がり時間を記憶し、所定の動作に関する動作情報を先読みし、前記立ち上がり時間と前記動作情報とを使用して前記複数の回路に対して電源遮断期間を求め、前記所定の動作が行なわれている間、前記電源遮断期間に基づいて前記複数の回路に対して電源供給又は電源遮断を行なう。
請求項２に記載の発明は、請求項１に記載のデータ処理装置の電源供給方法であって、前記データ処理装置は、リード信号からユーザデータを抽出するリード用信号処理回路部と、ライトデータをドライブヘッドにて書き込むライト用信号処理回路部と、前記リード信号からサーボデータを抽出するサーボ用信号処理回路部とを備える。
請求項３に記載の発明は、ドライブヘッドからのリード信号からユーザデータを抽出するために該リード信号を信号処理するリード用信号処理回路部と、ライトデータをドライブヘッドにて書き込むために該ライトデータを信号処理するためのライト用信号処理回路部と、前記リード信号からサーボ情報を抽出するために該リード信号を信号処理するサーボ用信号処理回路部と、を備えた信号処理装置の電源供給方法であって、リード用信号処理回路部を構成する各回路、ライト用信号処理回路部を構成する各回路及びサーボ用信号処理回路部を構成する各回路の少なくとも１つの信号処理回路部の各回路について、立ち上がり時間を予め求め、該立ち上がり時間を超える動作停止期間を有する回路が存在するとき、該回路に対して該動作停止期間中その電源の供給を遮断するようにした。


【手続補正６】
【補正対象書類名】明細書
【補正対象項目名】００１１
【補正方法】変更
【補正の内容】
【００１１】
請求項４に記載の発明は、請求項３に記載の信号処理装置の電源供給方法であって、ライト処理動作中及びサーボ期間中の少なくともいずれか一方の動作中において、前記リード用信号処理回路部を構成する回路内に、立ち上がり時間を超える動作停止期間を有する回路が存在するとき、該回路に対して該動作停止期間中その電源の供給を遮断するようにした。


【手続補正７】
【補正対象書類名】明細書
【補正対象項目名】００１２
【補正方法】変更
【補正の内容】
【００１２】
請求項５に記載の発明は、請求項３又は請求項４に記載の信号処理装置の電源供給方法であって、リード処理動作中及びサーボ期間中の少なくともいずれか一方の動作中において、前記ライト用信号処理回路部を構成する回路内に、立ち上がり時間を超える動作停止期間を有する回路が存在するとき、該回路に対して該動作停止期間中その電源の供給を遮断するようにした。


【手続補正８】
【補正対象書類名】明細書
【補正対象項目名】００１３
【補正方法】変更
【補正の内容】
【００１３】
請求項６に記載の発明は、請求項３、請求項４又は請求項５に記載の信号処理装置の電源供給方法であって、リード処理動作中及びライト動作中の少なくともいずれか一方の動作中において、前記ライト用信号処理回路部を構成する回路内に、立ち上がり時間を超える動作停止期間を有する回路が存在するとき、該回路に対して該動作停止期間中その電源の供給を遮断するようにした。


【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
請求項７に記載の発明は、ドライブヘッドからのリード信号からユーザデータを抽出するために該リード信号を信号処理するリード用信号処理回路部と、ライトデータをドライブヘッドにて書き込むために該ライトデータを信号処理するライト用信号処理回路部と、前記リード信号からサーボ情報を抽出するために該リード信号を信号処理するサーボ用信号処理回路部と、リード用信号処理回路部を構成する各回路、ライト用信号処理回路部を構成する各回路及びサーボ用信号処理回路部を構成する各回路の内、少なくとも１つの回路に対して電源を供給制御する電源制御手段とを備える信号処理装置をその要旨とする。
請求項８に記載の発明は、請求項７に記載の信号処理装置であって、前記電源制御手段は、ゲート回路である。
請求項９に記載の発明は、請求項７又は請求項８に記載の信号処理装置であって、前記リード用信号処理回路部は、オートゲインコントロールアンプ、アナログフィルタ、Ａ／Ｄ変換回路、リード系デジタル信号処理部、及び、Ｄ／Ａ変換回路の少なくともいずれか一つを含む。
請求項１０に記載の発明は、請求項７、請求項８又は請求項９に記載の信号処理装置であって、前記ライト用信号処理回路部は、ライトドライバ、プリコンペセイト、及び、ライト系デジタル信号処理部の少なくともいずれか一つを含む。
請求項１１に記載の発明は、請求項７、請求項８、請求項９又は請求項１０に記載の信号処理装置であって、前記サーボ用信号処理回路部は、サーボ情報抽出回路及びサーボＰＬＬの少なくともいずれか一つを含む。
【手続補正１４】
【補正対象書類名】明細書
【補正対象項目名】００１９
【補正方法】変更
【補正の内容】
【００１９】
請求項１２に記載の発明は、ドライブヘッドからのリード信号からユーザデータを抽出するために該リード信号を信号処理するリード用信号処理回路部と、ライトデータをドライブヘッドにて書き込むために該ライトデータを信号処理するライト用信号処理回路部と、前記リード信号からサーボ情報を抽出するために該リード信号を信号処理するサーボ用信号処理回路部と、数サイクル先の所定動作に関する動作情報を先読みする手段と、回路の立ち上がり時間と前記動作情報とに基づいて該立ち上がり時間を超える動作停止期間が存在する回路を求める手段と、前記動作停止期間に基づいて電源の供給を遮断する電源制御手段とを備える制御装置をその要旨とする。


【手続補正１５】
【補正対象書類名】明細書
【補正対象項目名】００２０
【補正方法】変更
【補正の内容】
【００２０】
請求項１３に記載の発明は、請求項７乃至請求項１１のいずれか一項に記載の信号処理装置を備えたディスク装置をその要旨とする。


【手続補正１６】
【補正対象書類名】明細書
【補正対象項目名】００２１
【補正方法】変更
【補正の内容】
【００２１】
（作用）
請求項１に記載の発明によれば、複数の回路の立ち上がり時間が記憶され、所定の動作に関する動作情報が先読みされ、その立ち上がり時間と動作情報とを使用して複数の回路に対して電源遮断期間が求められ、所定の動作が行なわれている間、電源遮断期間に基づいて複数の回路に対して電源供給又は電源遮断が行われる。従って、データ処理装置はその処理回路部の回路に対してデータ処理動作に支障をきたすことがない時間だけ電源の供給が遮断される。その結果、データ処理装置について高速化を保持しつつ消費電力の低減を図ることができる。
請求項２に記載の発明によれば、データ処理装置は、リード信号からユーザデータを抽出するリード用信号処理回路部と、ライトデータをドライブヘッドにて書き込むライト用信号処理回路部と、リード信号からサーボデータを抽出するサーボ用信号処理回路部とが備えられる。
請求項３に記載の発明によれば、信号処理回路部の各回路について、その立ち上がり時間を超える動作停止期間を有する回路が存在するとき、該回路はその動作停止期間中その電源の供給が遮断される。従って、信号処理装置はその処理回路部の回路に対して信号処理動作に支障をきたすことがない時間だけ電源の供給が遮断される。その結果、信号処理装置について高速化を保持しつつ消費電力の低減を図ることができる。


【手続補正１７】
【補正対象書類名】明細書
【補正対象項目名】００２２
【補正方法】変更
【補正の内容】
【００２２】
請求項４に記載の発明によれば、ライト処理動作中及びサーボ期間中の少なくともいずれか一方の動作中において、リード用信号処理回路部を構成する回路内に、立ち上がり時間を超える動作停止期間を有する回路が存在するとき、該回路は動作停止期間中その電源の供給が遮断される。従って、リード処理動作中及びライト動作中の少なくともいずれか一方の動作中において、信号処理装置はその処理回路部の回路に対して信号処理動作に支障をきたすことがない時間だけ電源の供給が遮断される。その結果、信号処理装置について高速化を保持しつつ消費電力の低減を図ることができる。


【手続補正１８】
【補正対象書類名】明細書
【補正対象項目名】００２３
【補正方法】変更
【補正の内容】
【００２３】
請求項５に記載の発明によれば、リード処理動作中及びサーボ期間中の少なくともいずれか一方の動作中において、ライト用信号処理回路部を構成する回路内に、立ち上がり時間を超える動作停止期間を有する回路が存在するとき、該回路は動作停止期間中その電源の供給が遮断される。従って、リード処理動作中及びサーボ期間中の少なくともいずれか一方の動作中において、信号処理装置はその処理回路部の回路に対して信号処理動作に支障をきたすことがない時間だけ電源の供給が遮断される。その結果、信号処理装置について高速化を保持しつつ消費電力の低減を図ることができる。


【手続補正１９】
【補正対象書類名】明細書
【補正対象項目名】００２４
【補正方法】変更
【補正の内容】
【００２４】
請求項６に記載の発明によれば、リード処理動作中及びライト動作中の少なくともいずれか一方の動作中において、サーボ用信号処理回路部を構成する回路内に、立ち上がり時間を超える動作停止期間を有する回路が存在するとき、該回路は動作停止期間中その電源の供給が遮断される。従って、リード処理動作中及びライト処理動作中の少なくともいずれか一方の動作中において、信号処理装置はその処理回路部の回路に対して信号処理動作に支障をきたすことがない時間だけ電源の供給が遮断される。その結果、信号処理装置について高速化を保持しつつ消費電力の低減を図ることができる。


【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】変更
【補正の内容】
【００２８】
請求項７に記載の発明によれば、電源制御手段により各回路は電源の供給を遮断される。従って、信号処理装置に設けた処理回路部の各回路に対して信号処理動作に支障をきたすことがない時間だけ電源供給の制御が可能となる。その結果、信号処理装置について高速化を保持しつつ消費電力の低減を図ることができる。
請求項８に記載の発明によれば、電源制御手段はゲート回路よりなり、該ゲート回路により各回路は電源の供給を遮断される。
請求項９に記載の発明によれば、リード用信号処理回路部には、オートゲインコントロールアンプ、アナログフィルタ、Ａ／Ｄ変換回路、リード系デジタル信号処理部、及び、Ｄ／Ａ変換回路の少なくともいずれか一つが含まれている。
請求項１０に記載の発明によれば、ライト用信号処理回路部には、ライトドライバ、プリコンペセイト、及び、ライト系デジタル信号処理部の少なくともいずれか一つが含まれている。
請求項１１に記載の発明によれば、サーボ用信号処理回路部には、サーボ情報抽出回路及びサーボＰＬＬの少なくともいずれか一つが含まれている。
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】変更
【補正の内容】
【００３０】
請求項１２に記載の発明によれば、制御装置は、数サイクル先の所定動作に関する動作情報を先読みし、回路の立ち上がり時間とその動作情報とに基づいて立ち上がり時間を超える動作停止期間が存在する回路を求め、その動作停止期間に基づいて電源の供給を遮断するようにした。従って、制御装置は、信号処理装置に設けた処理回路部の各回路に対して信号処理動作に支障をきたすことがない時間だけ電源供給の制御が可能となる。その結果、信号処理装置について高速化を保持しつつ消費電力の低減を図ることができる。


【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】変更
【補正の内容】
【００３２】
請求項１３に記載の発明によれば、請求項７乃至請求項１１のいずれか一項に記載の信号処理装置が備えられているので、信号処理装置の処理回路部の各回路に対して信号処理動作に支障をきたすことがない時間だけ電源の供給を遮断することができる。その結果、ディスク装置は信号処理装置について高速化を保持しつつ消費電力の低減を図ることができる。


【手続補正２８】
【補正対象書類名】明細書
【補正対象項目名】００３３
【補正方法】削除
【補正の内容】
【手続補正２９】
【補正対象書類名】明細書
【補正対象項目名】０１５２
【補正方法】変更
【補正の内容】
【０１５２】
【発明の効果】
請求項１〜１３に記載の発明によれば、高速化を保持しつつ消費電力の低減を図ることができる。